(57)【要約】  【課題】  ノズル面の近傍の雰囲気を迅速に湿潤な状態にすること。  【解決手段】  複数のノズルを有するノズル板及び複数のノズルに供給される液体の流路を含むインク吐出ヘッド５０と、インク吐出ヘッド５０の複数のノズルが配置されているノズル面の近傍の雰囲気を加湿する加湿器１３０と、インク吐出ヘッド５０のノズルから押し出されてノズル面に広がる液体でノズル面を濡らすようにインク吐出ヘッド５０の流路の圧力を調整する圧力調整部１２２を備えた。【選択図】  図１
2006281539.tif 000002
【特許請求の範囲】
【請求項１】
複数のノズルを有するノズル板と、
前記複数のノズルに供給される液体の流路と、
前記複数のノズルが配置されているノズル面の近傍の雰囲気を加湿する加湿手段と、
前記ノズルから押し出されて前記ノズル面に広がる液体で前記ノズル面を濡らすように前記流路の圧力を調整する圧力調整手段と、
を備えたことを特徴とする液体吐出装置。
【請求項２】
前記ノズル面は、前記液体の接触角が所定の角度以下となるように親液処理が施されていることを特徴とする請求項１に記載の液体吐出装置。
【請求項３】
前記圧力調整手段が前記ノズル面を濡らすように前記流路の圧力を調整するタイミングは、電源投入直後からプリント開始時までの何れかのタイミングであることを特徴とする請求項１又は２に記載の液体吐出装置。
【請求項４】
前記液体は色材及び溶媒を含むインクであり、
前記加湿手段は、前記溶媒と同一種類の液体を用いて前記ノズル面の近傍の雰囲気を加湿することを特徴とする請求項１乃至３の何れか１項に記載の液体吐出装置。
【発明の詳細な説明】
【技術分野】
【０００１】
本発明は液体吐出装置に係り、特にノズル面の近傍の雰囲気を加湿するようにした液体吐出装置に関する。
【背景技術】
【０００２】
従来、複数のノズルを配列させたインク吐出ヘッドと紙などの記録媒体とを相対的に移動させながら、ノズルから記録媒体に向けてインクを吐出することにより、記録媒体上に画像を形成するようにした画像形成装置が知られている。
【０００３】
このような画像形成装置に搭載するインク吐出ヘッドとしては、例えば、ノズルに連通する圧力室にインクを供給し、この圧力室の外側に振動板を介して取り付けられた圧電素子に対して画像データに応じた駆動信号を与えることにより、圧力室の容積を変化させて、圧力室内のインクをノズルから吐出するようにしたピエゾ方式のインク吐出ヘッドが知られている。
【０００４】
一方で、ヒータなどの発熱体によってインクを加熱して気泡を発生させ、その圧力でインクを飛ばすようにしたサーマルジェット方式のインク吐出ヘッドも知られている。
【０００５】
このようなインク吐出ヘッドを備えた画像形成装置において、ノズル内のインクの増粘や乾燥を防止するためにノズル面をキャップで覆うようにしたものや、ノズル内の滞っているインクを排出するなどの回復動作を電源オン時に行うようにしたものが知られている。
【０００６】
さらに、ノズル内のインクを常に良好な状態に保つため、ノズル面の近傍の雰囲気が湿潤な状態となるように加湿器を設けたものも知られている。
【０００７】
例えば、特許文献１には、加湿ローラ等により適度に水分を含ませた記録媒体を加熱器によって加熱することにより、記録媒体に含まれている水分を気化させて、吐出面（ノズル面）と記録媒体との間の空間の雰囲気を加湿するようにしたものが記載されている。
【特許文献１】特開昭６４−７１７５６号公報（特に第３図）
【発明の開示】
【発明が解決しようとする課題】
【０００８】
ノズル面の近傍の雰囲気を湿潤に保つように加湿器を設け、この加湿器を電源オンの直後に稼動したとしても、加湿器の稼動を開始してからノズル面の近傍の雰囲気が十分に湿潤な状態となるまでに時間がかかるという課題がある。
【０００９】
このように加湿時間がかかると一般に初期吐出不良が発生し易くなり、また、加湿器の消費電力が増大するという問題がある。
【００１０】
また、近年、画像の高品質化を図る等の目的により、インク吐出ヘッドのノズルの数が増大してきており、このようなノズル数が多くノズル面が広いインク吐出ヘッドにおいても、迅速に加湿する必要がある。
【００１１】
本発明はこのような事情に鑑みてなされたもので、ノズル面の近傍の雰囲気を迅速に湿潤な状態にし得る液体吐出装置を提供することを目的とする。
【課題を解決するための手段】
【００１２】
前記目的を達成するために、請求項１に記載の発明は、複数のノズルを有するノズル板と、前記複数のノズルに供給される液体の流路と、前記複数のノズルが配置されているノズル面の近傍の雰囲気を加湿する加湿手段と、前記ノズルから押し出されて前記ノズル面に広がる液体で前記ノズル面を濡らすように前記流路の圧力を調整する圧力調整手段と、を備えたことを特徴とする液体吐出装置を提供する。
【００１３】
この発明によれば、圧力調整手段によりノズルから押し出されてノズル面に広がる液体でノズル面が濡らされるとともに、加湿手段によりノズル面の近傍の雰囲気が加湿されるので、相乗効果により、ノズル面の近傍の雰囲気の加湿が加速されて、迅速に湿潤な状態となる。したがって、電源投入後にノズルのメニスカスでインクの蒸発が生じてノズル内のインクが増粘することによる初期吐出不良を防止することができるとともに、加湿を行うことによる消費電力が低下する。
【００１４】
請求項２に記載の発明は、請求項１に記載の発明において、前記ノズル面は、前記液体の接触角が所定の角度以下となるように親液処理が施されていることを特徴とする液体吐出装置を提供する。
【００１５】
この発明によれば、ノズル面を濡らす液体に対してノズル面が親液処理されているので、迅速かつ適度にノズル面が濡れることになる。
【００１６】
請求項３に記載の発明は、請求項１又は２に記載の発明において、前記圧力調整手段が前記ノズル面を濡らすように前記流路の圧力を調整するタイミングは、電源投入直後からプリント開始時までの何れかのタイミングであることを特徴とする液体吐出装置を提供する。
【００１７】
この発明によれば、インクの蒸発によるプリント時における吐出不良を防止することができる。
【００１８】
請求項４に記載の発明は、請求項１乃至３の何れか１項に記載の発明において、前記液体は色材及び溶媒を含むインクであり、前記加湿手段は、前記溶媒と同一種類の液体を用いて前記ノズル面の近傍の雰囲気を加湿することを特徴とする液体吐出装置を提供する。
【００１９】
この発明によれば、加湿器による加湿成分とノズル面を濡らした液体の成分とが同一種類なので、インクの増粘防止効果が向上する。
【発明の効果】
【００２０】
本発明によれば、ノズル面の近傍の雰囲気を迅速に湿潤な状態にすることができる。
【発明を実施するための最良の形態】
【００２１】
以下、添付図面に従って、本発明を実施するための最良の形態について詳細に説明する。
【００２２】
［画像形成装置の全体構成］
図１は、本発明に係る液体吐出装置を適用した画像形成装置１０の全体構成例を示すブロック図である。
【００２３】
図１において、画像形成装置１０は、インクタンク１４、インク吐出ヘッド５０、通信インターフェース１１０、システムコントローラ１１２、画像メモリ１１４、圧力調整部１２２、圧力検出部１２４、圧力調整制御部１２６、加湿器１３０、モータドライバ１４４、プリント制御部１５０、画像バッファメモリ１５２、ヘッドドライバ１５４を含んで構成されている。
【００２４】
インクタンク１４は、インクを貯蔵するものである。本実施形態において、インクは、Ｋ（黒）、Ｃ（シアン）、Ｍ（マゼンタ）、Ｙ（イエロ）の４色である。インクタンク１４は、Ｋ、Ｃ、Ｍ、Ｙの各インク色ごとに設けられている。
【００２５】
インク吐出ヘッド５０は、インクタンク１４から供給されるインクを紙などの記録媒体に向けて吐出するものである。インク吐出ヘッド５０は、Ｋ、Ｃ、Ｍ、Ｙの各インク色ごとに設けられている。
【００２６】
インク吐出ヘッド５０には、後に詳述するように、インクを吐出する複数のノズル、これらの複数のノズルに供給されるインクの流路などが設けられている。
【００２７】
通信インターフェース１１０は、ホストコンピュータ２００から送られてくる画像データを受信する画像データ入力手段である。通信インターフェース１１０には、ＵＳＢ、ＩＥＥＥ１３９４、イーサネットなどの有線、又は、無線のインターフェースを適用することができる。
【００２８】
ホストコンピュータ２００から送出された画像データは通信インターフェース１１０を介して画像形成装置１０に取り込まれ、画像メモリ１１４に一旦記憶される。
【００２９】
システムコントローラ１１２は、中央演算処理装置（ＣＰＵ）及びその周辺回路等から構成され、所定のプログラムに従って画像形成装置１０の全体を制御する主制御手段である。すなわち、システムコントローラ１１２は、通信インターフェース１１０、画像メモリ１１４、モータドライバ１４４、プリント制御部１５０等の各部を制御する。
【００３０】
圧力調整部１２２は、インク吐出ヘッド５０の内圧を調整するものである。具体的には、インク吐出ヘッド５０の複数のノズルが配置されているノズル面を、そのノズル面のノズルから押し出されてノズル面に広がるインクで濡らすように、インク吐出ヘッド５０内の流路の内圧を調整する。
【００３１】
圧力検出部１２４は、インク吐出ヘッド５０の内圧を検出するものである。
【００３２】
圧力調整制御部１２６は、圧力調整部１２２を用いてインク吐出ヘッド５０の内圧を調整する制御を行う制御部である。
【００３３】
加湿器１３０は、インク吐出ヘッド５０のノズル面の近傍の雰囲気を加湿するものである。
【００３４】
搬送系のモータ１４２は、例えば、記録媒体の搬送用のローラやベルトに動力を与えるモータである。
【００３５】
モータドライバ１４４は、システムコントローラ１１２からの指示に従って搬送系のモータ１４２を駆動するドライバ（駆動回路）である。
【００３６】
プリント制御部１５０は、画像形成装置１０に入力される画像データに基づいて各インク色のドットデータを生成する画像処理手段として機能する。すなわち、プリント制御部１５０は、システムコントローラ１１２の制御に従い、画像メモリ１１４内の画像データからインク吐出制御用のドットデータを生成するための各種の加工、補正などの画像処理を行い、生成したデータ（ドットデータ）をヘッドドライバ１５４に供給する。
【００３７】
プリント制御部１５０には画像バッファメモリ１５２が備えられており、プリント制御部１５０における画像処理時に画像データやパラメータなどのデータが画像バッファメモリ１５２に一時的に格納される。なお、図１において画像バッファメモリ１５２はプリント制御部１５０に付随する態様で示されているが、画像メモリ１１４と兼用することも可能である。また、プリント制御部１５０とシステムコントローラ１１２とを統合して１つのプロセッサで構成する態様も可能である。
【００３８】
画像データ入力から画像形成までの処理の流れを概説すると、通信インターフェース１１０を介して外部から入力された画像データは画像メモリ１１４に蓄えられる。なお、インク（色材) による微細なドットの打滴密度やドットサイズを変えることによって、人の目に疑似的な連続階調と見える画像を記録媒体上に形成するため、入力された画像データの階調（画像の濃淡）をできるだけ忠実に再現するようなドットデータに変換する必要がある。そのため、画像メモリ１１４に蓄えられた画像データは、システムコントローラ１１２を介してプリント制御部１５０に送られ、プリント制御部１５０においてディザ法や誤差拡散法などを用いたデジタルハーフトーニングによって、各インク色ごとのドットデータに変換される。
【００３９】
すなわち、プリント制御部１５０は、入力された原画像データをＫ、Ｃ、Ｍ、Ｙの４色のドットデータに変換する処理を行う。こうして、プリント制御部１５０で生成されたドットデータは、画像バッファメモリ１５２に蓄えられる。
【００４０】
ヘッドドライバ１５４は、プリント制御部１５０から与えられるドットデータ（すなわち、画像バッファメモリ１５２に記憶されたドットデータ）に基づき、インク吐出ヘッド５０を駆動するための駆動信号を出力する。
【００４１】
ヘッドドライバ１５４から出力された駆動信号がインク吐出ヘッド５０に加えられることによって、インク吐出ヘッド５０から記録媒体に対してインクが吐出される。記録媒体の搬送速度に同期してインク吐出ヘッド５０からのインク吐出を制御することにより、記録媒体上に所望の画像が形成される。
【００４２】
［インク吐出ヘッドの構造］
ここで、インク吐出ヘッド５０の構造について説明しておく。
【００４３】
図２はインク吐出ヘッド５０の全体構造の一例について概略を示す平面透視図である。
【００４４】
図２において、インク吐出ヘッド５０は、インクを吐出するノズル５１と、ノズル５１に連通し、ノズル５１からインクが吐出される際にインクに圧力を付与する圧力室５２と、圧力室５２にインクが供給される開口部としてのインク供給口５３とを含んでなる複数の圧力室ユニット５４が、２次元配列されて構成されている。
【００４５】
なお、図２では、作図の便宜上、一部の圧力室ユニット５４を省略して描いてある。
【００４６】
複数のノズル５１は、主走査方向（記録媒体の搬送方向と略直交する方向）と、主走査方向に対して所定の角度θをなす斜め方向との２方向に沿って、格子状に配列されている。具体的には、主走査方向に対して角度θをなす斜め方向に沿ってノズル５１が一定のピッチｄで複数配列されていることにより、各ノズル５１が主走査方向に沿った一直線上にピッチＰ（＝ｄ×cosθ）で配列されたものと等価に取り扱うことができる。これにより、主走査方向に沿って例えば１インチ当たり2400個（2400ノズル／インチ）に及ぶような高密度のノズル配列と実質的に同等の構成となる。このような構成により、インク吐出ヘッド５０の長手方向（主走査方向）に沿って並ぶように投影される実質的なノズル間隔（投影ノズルピッチ）の高密度化を達成している。図２に示すようなノズル配列を２次元マトリクス状のノズル配列と呼ぶことにする。
【００４７】
すなわち、インク吐出ヘッド５０は、多数のノズル５１が２次元配列されており、これらのノズル５１に１対１で対応する多数の圧力室５２もノズル５１と同様に２次元配列されている。
【００４８】
なお、本発明の実施に際してノズル５１等の配置構造は図２に示した例に特に限定されない。図２に例示したノズル配列に代えて、例えば、図３に示すように、複数のノズル５１が２次元に配列された短尺のインク吐出ヘッドブロック５０’を千鳥状に配列して繋ぎ合わせることで記録媒体の全幅に対応する長さのノズル列を有するインク吐出ヘッドを構成してもよい。図３に示すようなノズル配列も２次元マトリクス状のノズル配列である。
【００４９】
図２に示すノズル配列であっても、図３に示すノズル配列であっても、主走査方向（記録媒体の搬送方向と略直交する方向）に記録媒体の全幅に対応する長さにわたるノズル列を備えるフルライン型のインク吐出ヘッドを構成することができる。
【００５０】
図４は、図２のインク吐出ヘッド５０の一部を拡大して示す平面透視図である。また、図４の５−５線に沿った断面図を図５に示す。
【００５１】
図５において、液体吐出ヘッド５０は、複数のプレート５０１、５０２、５０３、５０４、５０５が積層されて形成されている。
【００５２】
ノズル形成プレート５０１（以下「ノズル板」と称する）は、液体を吐出する複数のノズル５１（吐出口）が形成されている。
【００５３】
なお、ノズル板５０１のインクが吐出される側の面（ノズル面）５１Ａには、親インク処理が施されている。
【００５４】
ここで、親インク処理について簡単に説明すると、インクの接触角が所定の角度以下となるようにノズル面５１Ａに施される処理である。例えば、インクの接触角が３０度を超える場合にインクの接触角が３０度以下となるような処理がノズル面５１Ａに予め施されている。このような親インク処理の例については後に詳述する。
【００５５】
なお、ノズル面５１Ａが元々親インク性を示す所定の角度以下の接触角であれば、親インク処理を施す必要はない。
【００５６】
圧力室形成プレート５０２は、ノズル５１にそれぞれ連通する複数の圧力室５２が形成されている。なお、圧力室５１は、各ノズル５１ごとの個別の流路ということもできる。
【００５７】
振動板５０３は、圧力室形成プレート５０２を挟んでノズル板５０１が配置されている側とは反対側に配置されており、振動板５０３上には圧力室５２内のインクに付与する圧力を発生する圧力発生手段としての複数の圧電素子５８が形成されている。
【００５８】
圧電素子５８は、例えばピエゾからなり、所定の電気信号（駆動信号）が与えられると変位（歪み）が発生し、振動板５０３を介して圧力室５２の容積を変化させる。
【００５９】
なお、振動板５０３は、各圧力室５２のノズル５１が配置されている側とは反対側の面（振動面）を構成しているとともに、圧電素子５８の一方の電極として機能する。また、圧電素子５８の振動板５０３とは反対側の面には他方の電極である個別電極５９が形成されている。
【００６０】
本実施形態における振動板５０３は、複数の圧力室５２に共通のものとし１枚のプレートで形成されているが、このような場合に特に限定されず、圧力室５２ごとに形成されている場合もある。
【００６１】
圧電素子保護プレート５０４は、圧電素子５８においてその厚さ方向に自在に変位が発生するように（すなわち圧電素子５８の動作を保障するように）、空間を確保して、圧電素子５８を保護する。
【００６２】
共通液室形成プレート５０５は、振動板５０３及び圧電素子保護プレート５０４を挟んで、圧力室形成プレート５０２が配置されている側とは反対側に配置されており、圧力室５２にインクを供給する共通液室５５が形成されている。
【００６３】
共通液室５５は、図１のインクタンク１４から供給されたインクを、複数の圧力室５２に対してそれぞれインク供給口５３を介して供給する。なお、共通液室５５は、全ノズル５１に共通の流路ということもできる。
【００６４】
圧力室５２に対してノズル５１を下として見たとき、共通液室５５は、複数の圧力室５２の直上において、これらの複数の圧力室５２の全てを覆うように、ひとつの共通の空間をなす流路として形成されている。このような共通液室５５により、各圧力室５２に対して、インクがリフィル性良く供給されることになる。
【００６５】
［親インク処理の例示］
ノズル板５０１のノズル面５１Ａに施す親インク処理の例について説明する。以下では、インクの溶媒は水であるものとする。
【００６６】
ノズル面５１Ａがプラスチック樹脂等で形成されている場合には、例えば、酸処理、プラズマ処理等によってノズル面５１Ａであるプラスチック樹脂表面に極性基を精製させて表面を親水化させる。酸化物微粒子が分散したゾルを塗布し表面に酸化物層を形成させるようにしてもよい。
【００６７】
なお、ノズル面５１Ａが金属で形成されている場合には、金属自体の親水性が高いため特に親インク処理を施さなくてもよい。
【００６８】
［圧力調整部及び圧力調整処理について］
本実施形態の画像形成装置１０は、インク吐出ヘッド５０のノズル５１から緩やかに押し出されるインクでノズル面５１Ａの全体を濡らすように、インク吐出ヘッド５０の内圧を加圧する。このようなインク吐出ヘッド５０の加圧を行う図１に示す圧力調整部１２２の詳細な構成態様には各種あり、その一例について説明する。
【００６９】
図６（ａ）は、インク吐出ヘッド５０の内圧が負圧に設定された状態の画像形成装置１０の要部を示す。図６（ｂ）は、インク吐出ヘッド５０の内圧が正圧に設定された状態の画像形成装置１０の要部を示す。
【００７０】
ここで、インク吐出ヘッド５０の内圧の正負について簡単に説明しておくと、正圧では、全てのノズル５１のメニスカスが出っ張った状態（凸状態）となり、全てのノズル５１から緩やかに押し出されてノズル面５１Ａに広がるインクでノズル面５１Ａの全体が濡れることになる一方で、負圧では、全てのノズル５１のメニスカスが引っ込んだ状態（凹状態）となり、どのノズル５１からもインクが押し出されることがない。なお、メニスカスの状態及び正圧の範囲については、後に詳述する。
【００７１】
図６（ａ）及び（ｂ）において、インクタンク１４は、インク吐出ヘッド５０に供給されるインクを貯蔵するものである。
【００７２】
このようなインクタンク１４は、メインタンクと呼ばれるようなインク供給源である主たるタンクであってもよく、サブタンクと呼ばれるようなメインタンクとインク吐出ヘッド５０との間に設けられた補助的なタンクであってもよい。
【００７３】
インクタンク１４内のインクは、所定の管路１４５０を介して、インク吐出ヘッド５０に供給される。具体的には、インクタンク１４のインクは、図５の共通液室５５に与えられ、共通液室５５に連通する各圧力室５２を介して、各ノズル５１に至る。
【００７４】
タンク上下動装置８０は、インクタンク１４を上下動させることにより、インクタンク１４の液面の高さを変化させ、これをもってインク吐出ヘッド５０の内圧を変化させるものであり、図１における圧力調整部１２２として機能する。
【００７５】
インクタンク１４の周囲には、レーザ光を発光する複数の発光部９１、９２と、レーザ光を受光する複数の受光部９６、９７が設けられている。
【００７６】
具体的には、第１の発光部９１と第１の受光部９６とが水平方向においてインクタンク１４を挟んで対向して配置され、第２の発光部９３と第２の受光部９７とが水平方向においてインクタンク１４を挟んで対向して配置されている。より詳細には、ノズル面５１Ａを基準の高さ（＝０）として、第１の発光部９１の発光点及び第１の受光部９６の受光点とがノズル面５１Ａよりも低い所定の高さ（＝−ｈ１）に位置し、第２の発光部９２の発光点と第２の受光部９７の受光点とがノズル面５１Ａよりも高い所定の高さ（＝＋ｈ２）に位置している。
【００７７】
なお、発光部９１、９２から発光されるレーザ光に対して、インクタンク１４は透光性を有し、インクタンク１４内に貯蔵されるインクは遮光性を有している。
【００７８】
図６（ａ）に示す負圧状態では、インクタンク１４の液面の高さは第１の発光部９１の発光点の高さ（＝−ｈ１）よりも低いので、第１の発光部９１が発したレーザ光も、第２の発光部９２が発したレーザ光も、インクタンク１４内のインクによって遮光されることなく、透光性のインクタンク１４を透過する。すなわち、負圧状態では、第１の発光部９１が発したレーザ光を第１の受光部９６が受光する状態になるとともに、第２の発光部９２が発したレーザ光を第２の受光部９７が受光する状態になる。一方で、図６（ｂ）に示す正圧状態では、インクタンク１４の液面の高さは第２の発光部９２の発光点の高さ（＝ｈ２）よりも高いので、第１の発光部９１が発したレーザ光も、第２の発光部９２が発したレーザ光も、インクタンク１５内のインクによって遮光される。すなわち、正圧状態では、第１の発光部９１が発したレーザ光を第１の受光部９６が受光しない状態になるとともに、第２の発光部９２が発したレーザ光を第２の受光部９７が受光しない状態になる。これらの発光部９１、９２及び受光部９６、９７によって、ノズル面５１Ａに対するインクタンク１４の液面の高さが検知される。このようなインクタンク１４の液面の高さはインク吐出ヘッド５０の内圧（正圧及び負圧）に対応する。
【００７９】
なお、タンク上下動装置８０は図１における圧力調整部１２２を構成し、発光部９１、９２及び受光部９６、９７は図１における圧力検出部１２４を構成する。
【００８０】
圧力調整制御部１２６は、第１の受光部９６及び第２の受光部９７の受光結果に基づいてインクタンク１４の液面の高さを検知しながら、タンク上下動装置８０によりインクタンク１４を上下動させて、インクタンク１４の液面の高さ（揚水高さ）を調整し、これをもってインク吐出ヘッド５０の内圧を設定する。
【００８１】
このような圧力調整制御部１２６が行う圧力調整処理の流れについて、図７及び図８を用いて、詳細に説明する。
【００８２】
図７は、圧力調整制御部１２６が行う圧力調整処理の概略を示すフローチャートである。図８は、インク吐出ヘッド５０のノズル５１のメニスカス（液面）の状態を示す模式図である。
【００８３】
ところで、画像形成装置１０が電源オフの状態では、図６（ａ）に示すような負圧状態が設定されている。すなわち、図８（ａ）に示されるように、ノズル５１のメニスカス５１Ｂは、凹状態となっている。
【００８４】
画像形成装置１０が電源オンされると、タンク上下動装置８０を用いて、インクタンク１４の液面の高さを、図６（ａ）に示すような負圧状態の高さ（負圧位置）から、徐々に高くしていき、図６（ｂ）に示すような正圧状態の高さ（正圧位置）に設定する（ステップＳ１）。例えば１秒の間に負圧位置から正圧位置になるまで徐々にインクタンク１４を上昇させる。インクタンク１４が徐々に上昇することにより、インク吐出ヘッド５０の内圧が所定の負圧から所定の正圧に緩やかに変化する。
【００８５】
具体的には、インクタンク１４の液面の高さが負圧位置から正圧位置に設定されることにより、図５の共通液室５５の内圧が緩やかに上昇し、共通液室５５に連通している各圧力室５２の内圧が圧力室５２間で均等にかつ緩やかに上昇して、各圧力室５２に連通している各ノズル５１の内圧が、全てのノズル５１で均等にかつ緩やかに上昇することになる。
【００８６】
このように、インクタンク１４の液面を徐々に上昇させると、全てのノズル５１のメニスカス５１Ｂは図８（ａ）に示すような凹状態から図８（ｂ）に示すようにインクの表面張力によってノズル面５１Ａに対して盛り上がった状態を経て、図８（ｃ）に示すようにノズル５１から緩やかに押し出されるインクが親インク性のノズル面５１Ａ上を広がっていきノズル面５１Ａを濡らし始める。
【００８７】
そして、図８（ｄ）に示すようにノズル５１から押し出されたインクが親インク処理されているノズル面５１Ａ上で全てのノズル５１間を濡らして全体的に広がった状態となるように、図６（ｂ）に示すような正圧状態を一定時間保つ（ステップＳ２）。
【００８８】
その後、タンク上下動装置８０を用いて、インクタンク１４の液面の高さを、図６（ｂ）に示すような正圧位置から図６（ａ）に示すような負圧位置に戻す（ステップＳ３）。例えば１秒の間に正圧位置から負圧位置になるまで徐々にインクタンク１４を下降させる。このように、インクタンク１４の液面を元の負圧位置に戻すとインク吐出ヘッド５０の内圧が負圧に戻る。
【００８９】
具体的には、インクタンク１４の液面の高さが正圧位置から負圧位置に設定されることにより、図５の共通液室５５の内圧が下降し、共通液室５５に連通している各圧力室５２の内圧が均等に下降して、各圧力室５２に連通している各ノズル５１の内圧が均等に下降することになる。
【００９０】
このように全てのノズル５１の内圧が均等に下降すると、ノズル５１内のメニスカス５１Ｂは図８（ｅ）に示すようにノズル面５１から引っ込んだ凹状態となる。なお、ノズル面５１Ａは親インク処理されているので、ノズル５１のメニスカス５１Ｂが引っ込んでも、ノズル面５１Ａはインクで濡れた状態のまま残ることになる。
【００９１】
図８（ｅ）に示すようなノズル面５１Ａの全面がインクで濡れた状態において、加湿器１３０によってノズル面５１Ａの近傍の雰囲気が加湿される。ノズル面５１Ａの全面がインクで濡れているので、ノズル面５１Ａの近傍の雰囲気の加湿が促進される。そして、図１のホストコンピュータ２００から画像データを受信すると、画像形成装置１０はノズル５１から記録媒体に対してインクを吐出して、記録媒体に画像を形成する。
【００９２】
なお、加湿器１３０によるノズル面５１Ａの近傍の雰囲気の加湿については後に詳述する。このような加湿器１３０による加湿は、画像形成装置１０の電源オンの直後の加圧開始時（すなわちステップＳ１の開始時）に加圧と同時に開始してもよいが、遅くとも加圧処理の終了時（すなわちステップＳ３の終了時）までには開始する。
【００９３】
また、長時間に渡って電源オフ状態が継続したような場合には、電源オン時にまず予備吐出（いわゆるパージ）を行って、その予備吐出の終了後に図７の圧力調整処理を実行するようにしてもよい。
【００９４】
次に、正圧の範囲について、図９を用いて説明する。
【００９５】
図９において、インクの表面張力をγとし、メニスカス５１Ｂとノズル面５１Ａとのなす角度をθとし、ノズル５１の半径をｒとしたとき、メニスカス５１Ｂに働いている圧力Ｐは、数１で表される。
［数１］
Ｐ＝２γ／（ｒ／ｓｉｎθ）＝２γ×ｓｉｎθ／ｒ
メニスカス５１Ｂが凸状態であってノズル面５１Ａを広がって濡らすことがない限界の角度（いわゆる接触角）をθ０としたとき、ノズル面５１Ａをインクで濡らすためにメニスカス５１Ｂに与えるべき圧力（すなわち正圧）ＰＰは、数２で表される。
［数２］
ＰＰ＞２γ×ｓｉｎθ０／ｒ
ただし、メニスカス５１Ｂにあまり大きな圧力を与えるとインクが液滴となってノズル５１から離脱してしまう（すなわち吐出してしまう）ので、このような吐出が発生しない程度の圧力に設定する必要がある。一般に、正圧は０．２ＭＰａ以下にする。このような吐出が発生しない最大の圧力は、インクの表面張力、インクの接触角及びノズル５１の径の他、ノズル５１の形状などによっても決まるので、実際に使用するインクやインク吐出ヘッド５０を用いて、実験により求めてもよい。また、負圧から正圧に変化させる時間が短かすぎると吐出し易いので、負圧から正圧に変化させるまでの時間の設定にも留意する。すなわち、前述のように緩やかに圧力を変化させる。
【００９６】
以上、インクタンク１４の液面の高さを検知することによりインク吐出ヘッド５０の内圧（前述の例では正圧及び負圧の２つのみ）を検出する場合を例に説明したが、本発明はこのような例に特に限定されない。
【００９７】
インク吐出ヘッド５０の内圧の検出は、インク吐出ヘッド５０内に設けた圧力センサにより検出してもよい。例えば、共通液室５５に圧力センサを設ける。
【００９８】
また、インク吐出ヘッド５０の内圧の加圧は、例えば、インクタンク１４からインク吐出ヘッド５０にインクを供給するためのポンプ（図示を省略）により行うようにしてもよい。また、共通液室５５の容積を変化させることにより加圧を行ってもよい。
【００９９】
なお、図５の圧電素子５８を用いて各圧力室５２ごとに容積を変化させることにより加圧を行う方法も考えられるが、このように各圧力室５２ごとに加圧するよりも、共通液室５５内の圧力を加圧することにより全ての圧力室５２内及び全てのノズル５１内の圧力を一括して加圧する方が、全ての圧力室５２及び全てのノズル５１の圧力を均等に加圧できる。
【０１００】
また、画像形成装置１０の電源投入直後にノズル面５１Ａを濡らすようにインク吐出ヘッド５０内の流路の圧力を調整する場合を例に説明したが、このようなノズル面５１Ａをぬらすための本発明における圧力調整のタイミングは、画像形成装置１０の電源投入直後に限るものではなく、画像形成装置１０の電源投入直後から記録媒体に画像を形成するプリント開始時までの何れかのタイミングを含む。
【０１０１】
図１０は、圧力調整部１２２、圧力検出部１２４及び圧力調整制御部１２６の他の例を示す模式図である。
【０１０２】
図１０に示すタンク上下動装置８００（圧力調整部１２２）は、レール部材８１、偏芯カム８２及びパルスモータ８３を含んで構成される。レール部材８１にはインクタンク１４の側面に設けられたガイド突起（例えば、ローラ）８４が当設しており、インクタンク１４はレール部材８１に沿って上下動される。
【０１０３】
偏芯カム８２は、インクタンク１４の底面にその周縁が接触しており、パルスモータ８３により回転駆動される。回転軸８２Ａを中心とする偏芯カム８２の回転によりインクタンク１４を上下動させることでインク吐出ヘッド５０のノズル面５１Ａを基準としたインクタンク１４内のインク液面８５の高さｈ（揚水高さ）を調節する。
【０１０４】
インクタンク１４の上面には、インクの補充を可能とする補充口８６が設けられている。この補充口８６はインクタンク１４を大気連通させる空気穴として兼用され、インクタンク１４内のインク面８５にかかる圧力は常に大気圧となっている。また、インクタンク１４の内部には、インク面８５の位置を検出する液面検出センサ８７が取り付けられている。この液面検出センサ８７には、電気抵抗の変化を利用した電極タイプのセンサなどを用いることができる。
【０１０５】
液体吐出ヘッド５０の共通液室５５（図１０では不図示）内には内圧を検出するための圧力センサ９０が設けられており、その検出信号は圧力調整制御部１２６に送られる。
【０１０６】
圧力調整制御部１２６は、圧力センサ９０からの検出信号、液面検出センサ８７からの検出信号、図示を省略した大気圧センサからの検出信号、インク物性情報などに基づいて、揚水高さｈを検出し、その計算結果などに基づいてパルスモータ８３に与える駆動パルスを制御する。なお、揚水高さｈの算出に際しては、ＥＥＰＲＯＭなどの不揮発性メモリに格納されているテーブル情報を利用してもよいし、所定の演算式による演算処理を行ってもよい。
【０１０７】
［加湿器について］
図１１は、図１の加湿器１３０の一例を示す斜視図である。
【０１０８】
図１１に示される本例の加湿器は、主として、湿度検出器１６（１６Ａ１〜１６Ａ３、１６Ｂ１〜１６Ｂ３、１６Ｃ１〜１６Ｃ３、１６Ｄ１〜１６Ｄ３）、湿潤機構３６Ａ、湿潤制御装置３６Ｂ、加熱装置１８（１８Ａ〜１８Ｄ）、及び、加熱制御装置４７を含んで構成される。
【０１０９】
湿度検出器１６は、インク吐出ヘッド５０（５０Ｙ、５０Ｍ、５０Ｃ、５０Ｋ）の近傍に設けられ、インク吐出ヘッド５０の近傍の雰囲気の湿度を検出する。各湿度検出器１６は、各インク吐出ヘッド５０の長手方向、すなわち記録媒体２０の幅方向（記録媒体２０の搬送方向と略直交する方向）に配列して並設される。
【０１１０】
各湿度検出器１６は、各湿度検出器１６が位置する各インク吐出ヘッド５０のノズル周辺の湿度を検出する。すなわち、各インク吐出ヘッド５０の長手方向に沿ってそれぞれ３ヶ所のノズル近傍の雰囲気の湿度を検出する。
【０１１１】
湿潤機構３６Ａは、インク吐出ヘッド５０の記録媒体２０の搬送方向前段に設けられ、ベルト４３の幅と略同等の寸法を有している。
【０１１２】
湿潤機構３６Ａは、被湿潤媒体を湿潤する機能を有し、被湿潤媒体に水等のインク溶媒の液滴を噴射する。また湿潤機構３６Ａによる液滴噴射は、液滴噴射方向に記録媒体２０が存在しない場合に行われる。本例においては、被湿潤媒体はベルト４３である。
【０１１３】
被湿潤媒体であるベルト４３は、ゴム系親水部材若しくは絶縁処理された金属製部材により構成される。ゴム系親水部材の場合には、記録媒体２０がベルト４３と図示を省略したスターホイールによって挟まれて搬送される。一方、絶縁処理された金属製部材の場合には、記録媒体２０がベルト４３に静電吸着されて搬送される。
【０１１４】
本例では、湿潤機構３６Ａとして液滴噴射する方式を例示するが、本発明の実施に際しては、これに限定されるものでない。例えば、スポンジローラでベルト４３に液体を転写する方式等でもよい。
【０１１５】
また被湿潤媒体は、各インク吐出ヘッド５０のノズル近傍を通過する媒体であればよい。従って、ベルト４３に限定されるものでなく、例えばベルト４３以外の搬送部材や、ベルト４３等の搬送部材によって搬送される湿潤専用紙等の被搬送部材でもよい。
【０１１６】
このように本例では、被湿潤媒体として搬送部材又は被搬送部材を利用することができるため、画像形成装置１０に複雑な機構を設けることが不要となる。
【０１１７】
湿潤制御装置３６Ｂは、画像形成装置１０の任意の場所に構成される。また、湿潤制御装置３６Ｂは、湿度検出器１６、湿潤機構３６Ａと有線又は無線により、検出データや制御情報等の送信又は受信を行うことが可能である。なお湿潤機構３６Ａ、湿潤制御装置３６Ｂは一体に構成することも可能である。
【０１１８】
湿潤制御装置３６Ｂは、各湿度検出器１６の検出湿度が予め決められた規定値となるように、ベルト４３によって搬送される記録媒体２０の搬送間隔を変化させ、湿潤機構３６Ａに対して液滴噴射の指示を行う。なお湿潤制御装置３６Ｂが、湿潤機構３６Ａの液滴噴射量、噴射時間間隔等を変化させる構成も可能である。
【０１１９】
例えば、各湿度検出器１６のノズル周辺の湿度が規定値より低い状態にある場合には、湿潤制御装置３６Ｂは、ベルト４３によって搬送される記録媒体２０の搬送間隔を長くする。これにより、記録媒体２０が存在しない領域、すなわち湿潤機構３６Ａが湿潤することのできるベルト４３上の面積（以下、湿潤面積という）が拡がる。そして、湿潤制御装置３６Ｂは、湿潤機構３６Ａに対して液滴噴射の指示を行う。
【０１２０】
湿潤面積が拡がることにより、湿潤機構３６Ａはベルト４３の広範囲を湿潤することができる。そして後述する加熱部１８が、湿潤されたベルト４３を加熱することによって、インク吐出ヘッド５０のノズル面に対する加湿が行われる。
【０１２１】
このようなベルト４３に対する湿潤及び加熱は、各湿度検出器１６の検出湿度が規定値に達するまで行われる。
【０１２２】
図１２は、加湿器の他の例を示す斜視図である。
【０１２３】
図１２に示される他の例の加湿器は、主として、湿度検出器１６（１６Ａ１〜１６Ａ３、１６Ｂ１〜１６Ｂ３、１６Ｃ１〜１６Ｃ３、１６Ｄ１〜１６Ｄ３）、湿潤機構３６Ａ、湿潤制御装置３６Ｂ、ローラ３１（３１Ａ１〜３１Ａ４、３１Ｂ１〜３１Ｂ４、３１Ｃ１〜３１Ｃ４、３１Ｄ１〜３１Ｄ４）、及び、加熱制御装置４７を含んで構成される。
【０１２４】
図１２において、湿度検出器１６Ａ１〜１６Ｄ３及び湿潤機構３６Ａは、図１１に示したものと共通する。
【０１２５】
各インク吐出ヘッド５０（５０Ｋ、５０Ｃ、５０Ｍ、５０Ｙ）のノズル面の下方には、メンテ機構３９（３９Ａ、３９Ｂ、３９Ｃ、３９Ｄ）が設けられている。メンテ機構３９には、図示を省略したキャップが設けられている。
【０１２６】
ベルト４３は、インク吐出ヘッド５０のノズル面に対向するベルト面が、各メンテ機構３９の上面と略水平となるように設けられる。そして、各メンテ機構３９の両側面及び下面をベルト４３が通過するように、ローラ３１が設けられている。そのためベルト４３は、各メンテ機構３９の周辺において、断面Ｕ字状の形状をなすように構成される。
【０１２７】
本例において、各メンテ機構３９の記録媒体２０の搬送方向上流側の上端に設けられるローラ３１は、ベルト４３を加熱する機能を備える。
【０１２８】
ベルト４３は、湿潤機構３６Ａによって湿潤され、各ローラ３１を通過する際に加熱される。これにより、ベルト４３を挟んで、各ローラ３１に対向する位置に存在する各インク吐出ヘッド５０のノズル面は加湿され、保湿状態となる。
【０１２９】
このように本例においても、図１１を用いて説明した前述の例と同様の効果を奏するとともに、各インク吐出ヘッド５０のノズル面に対向する位置にメンテ機構３９が存在する場合でも、インク吐出ヘッド５０の構造を複雑にすることなく、ノズル面の保湿を行うことができる。
【０１３０】
湿度検出器１６は、各インク吐出ヘッド５０の長手方向に配列して並設される。インク吐出ヘッド５０の記録媒体２０の搬送方向の上流側には、湿潤機構３６Ａが設けられる。また加熱装置としてのローラ３１が、ベルト４３を挟んで、各インク吐出ヘッド５０のノズル面に対向する位置に配置される。乾燥装置４４は、吸着ベルト搬送部２６の下方に設けられる。
【０１３１】
また本実施形態においては、インク吐出ヘッド５０、湿度検出器１６、湿潤機構３６Ａ、加熱部としてのローラ３１、乾燥装置４３がカバー４０によって覆われている。カバー４０は、カバー４０の外側の空気と遮断することによって内部の機密性を高め、インク吐出ヘッド５０のノズル面が低湿となるのを防止するとともに、湿潤機構３６Ａ及び加熱部３１による加湿効果を向上させる。
【０１３２】
カバー４０の両側面には、それぞれスリット状の記録媒体供給口４８Ａを備えた記録媒体供給部４８と、スリット状の記録媒体排出口４９Ａを備えた記録媒体排出部４９が設けられる。記録媒体２０は、記録媒体供給口４８Ａを通って、ベルト４３上に送られる。そして、ベルト４３上の記録媒体２０は、湿潤機構３６Ａ、インク吐出ヘッド５０の下方を通過し、記録媒体排出口４９Ａを通って、排出される。
【０１３３】
さらにカバー４０の側面に設けられる記録媒体排出部４９の上方には、ファン３７が備えられる。ファン３７は、外気をカバー４０内部に導入する。
【０１３４】
インク吐出ヘッド５０のノズル周辺の湿度が過上昇となった場合、ファン３７は外気をカバー４０内部に導入し、ノズル周辺の湿度を下げる。
【０１３５】
また瞬断やジャムが発生した場合には、吸着ベルト搬送部２６による記録媒体２０の搬送、湿潤機構３６Ａによるベルト４３の湿潤、加熱部１８（又はローラ３１）によるベルト４３の加熱を停止し、ファン３７によって外気を導入する。これにより、カバー４０内部に設けられるインク吐出ヘッド５０等の結露を防止することができる。
【０１３６】
このように本実施形態では、カバー４０によって、その内部に設けられるインク吐出ヘッド５０等の保湿効果を向上させるとともに、湿度が過上昇の場合でもファン３７によって早期に解消することができる。この結果、インク吐出ヘッド５０のノズル周辺の湿度を一定に保つことができ、適切な保湿状態を維持することができる。
【０１３７】
［溶媒の例示］
以上説明した加湿器１３０には、インクの溶媒と同じ液体を装填し、この液体（すなわち溶媒）によりノズル面５１Ａの近傍の雰囲気を加湿させる。
【０１３８】
具体的には、インクの溶媒が水であれば加湿器１３０に水を装填して水により加湿させる。
【０１３９】
水以外の溶媒である場合にも、その溶媒と同じ液体（すなわち溶媒）を加湿器１３０に装填してその液体により加湿する。
【０１４０】
一般に用いられるインクの溶媒としては、例えば、水とエチレングリコール、ジエチレングリコールおよびグリセリンの中からなる群より選ばれた少なくとも１種の水溶性有機溶媒の混合溶媒がある。他に、例えば、トリエチレングリコール、トリプロピレングリコール、ジメチルスルホキシド、ジアセトンアルコール、グリセリンモノアリルエーテル、プロピレングリコール、ポリエチレングリコール、チオジグリコール、Ｎ−メチルー２ーピロリドン、２ーピロリドン、γーブチロラクトン、１、３ージメチルー２ーイミダゾリジノン、スルフォラン、トリメチロールプロパン、ネオペンチルグリコール、エチレングリコールモノメチルエーテル、エチレングリコールモノエチルエーテル、エチレングリコールモノイソプロピルエーテル、エチレングリコールモノアリルエーテル、ジエチレングリコールモノメチルエーテル、ジエチレングリコールモノエチルエーテル、トリエチレングリコールモノメチルエーテル、トリエチレングリコールモノエチルエーテル、プロピレングリコールモノメチルエーテル、ジプロピレングリコールモノメチルエーテル、βージヒドロキシエチルウレア、ウレア、アセトニルアセトンン、ペンタエリスリトール、ヘキシレングリコール、エチレングリコールモノプロピルエーテル、エチレングリコールモノブチルエーテル、エチレングリコールモノイソブチルエーテル、エチレングリコールモノフェニルエーテル、ジエチレングリコールジエチルエーテル、ジエチレングリコールモノブチルエーテル、ジエチレングリコールモノイソブチルエーテル、トリエチレングリコールモノブチルエーテル、トリエチレングリコールジメチルエーテル、トリエチレングリコールジエチルエーテル、テトラエチレングリコールジメチルエーテル、テトラエチレングリコールジエチルエーテル、プロピレングリコールモノブチルエーテル、ジプロピレングリコールモノメチルエーテル、ジプロピレングリコールモノプロピルエーテル、ジプロピレングリコールモノブチルエーテル、トリプロピレングリコールモノメチルエーテル、グリセリンモノアセテート、グリセリンジアセテート、グリセリントリアセテート、エチレングリコールモノメチルエーテルアセテート、ジエチレングリコールモノメチルエーテルアセテート、シクロヘキサノール、１ーブタノール、２、５ーヘキサンジオール，エタノール、ｎ−プロパノール、２−プロパノール、１ーメトキシー２ープロパノール、フルフリルアルコール、テトラヒドロフルフリルアルコール等が挙げられる。
【０１４１】
これらの液体の中から人体や環境に影響がない溶媒を選択するのは勿論である。また、本明細書中に記載の前述の画像形成装置１０では、加湿する空間を囲うようにカバー４０を設けており、このようなカバー４０により、保湿効果の向上とともに、外気等への影響を防止することも可能である。
【０１４２】
以上の説明において、本発明の理解を容易にするために図面や数値などを用いて本発明の実施形態について詳細に説明したが、本発明は図面に示した態様や明細書に記載した数値によって特に限定されるものではない。
【０１４３】
本発明における圧力調整手段として、インクタンクを上下動させることによりインク吐出ヘッドの内圧を調整する場合を例に説明したが、本発明における圧力調整手段は、このような例に特に限定されない。例えば、インクタンクからインク吐出ヘッドにインクを供給するポンプによって圧力調整を行う態様や、流路（例えば共通液室）の容積を変化させることにより圧力調整を行うようにしてもよい。
【０１４４】
また、本発明における加湿手段として、ベルトなどの被湿潤媒体を介して加熱によりノズル面の近傍の雰囲気を加湿する場合を例に説明したが、本発明における加湿手段は、このような例に特に限定されない。加熱を行わない加湿手段を用いる態様もある。
【０１４５】
また、アクチュエータとして圧電素子を用いたいわゆるピエゾ方式の場合を例に説明したが、本発明はこのような場合に特に限定されず、例えば、アクチュエータとしてヒータを用いたいわゆるサーマルジェット方式の場合にも本発明を適用できることは言うまでもない。
【０１４６】
また、インク吐出ヘッドがラインヘッドの場合には、一般に、アクチュエータ駆動による発熱が大きいので、この熱を用いてインク蒸発を行い、更なる消費電力の低下を行うようにしてもよい。
【０１４７】
また、加湿に伴い、加湿を行わない場合と比較して液体を消費するが、このような液体の消費を抑えるための各種の改良を行ってもよい。
【０１４８】
その他、本発明は、実施形態において説明した例には限定されず、本発明の要旨を逸脱しない範囲において、各種の設計変更や改良を行ってもよいのはもちろんである。
【図面の簡単な説明】
【０１４９】
【図１】本発明に係るインク吐出装置を適用した画像形成装置の全体構成例を示すブロック図である。
【図２】インク吐出ヘッドの全体構造の一例の概略を示す平面透視図である。
【図３】インク吐出ヘッドの全体構造の他の例の概略を示す平面透視図である。
【図４】図２のインク吐出ヘッドの一部を拡大して示す平面透視図である。
【図５】図４の５−５線に沿った断面図である。
【図６】画像形成装置の一例の圧力調整に関する要部を示す模式図である。
【図７】圧力調整制御処理の一例の概略を示すフローチャートである。
【図８】メニスカスの状態を示す模式図である。
【図９】正圧の範囲の説明に用いる説明図である。
【図１０】画像形成装置の他の例の圧力調整に関する要部を示す模式図である。
【図１１】加湿器及びその周辺部の一例を示す斜視図である。
【図１２】加湿器及びその周辺部の他の例を示す斜視図である。
【符号の説明】
【０１５０】
１４…インクタンク、１６…湿度検出器、１８…加熱装置、３６Ａ…湿潤機構、３６Ｂ…湿潤制御装置、４３…ベルト、４７…加熱制御装置、５０…インク吐出ヘッド、５１…ノズル、５１Ａ…ノズル面、５２…圧力室（流路）、５５…共通液室（流路）、５８…圧電素子、５９…個別電極、８０、８００…タンク上下動装置（圧力調整部）、８１…レール部材、８２…偏芯カム、８３…パルスモータ、８４…ガイド突起、９１、９２…発光部、９６、９７…受光部、９０…圧力センサ（圧力検出部）、１１０…通信インターフェース、１１２…システムコントローラ、１２２…圧力調整部、１２２…圧力検出部、１２６…圧力調整制御部、１３０…加湿器、１５０…プリント制御部、１５４…ヘッドドライバ、５０１…ノズル板、５０２…圧力室形成プレート、５０３…振動板、５０４…圧電素子保護プレート、５０５…共通液室形成プレート
【図１】
2006281539.tif 000003
【図２】
2006281539.tif 000004
【図３】
2006281539.tif 000005
【図４】
2006281539.tif 000006
【図５】
2006281539.tif 000007
【図６】
2006281539.tif 000008
【図７】
2006281539.tif 000009
【図８】
2006281539.tif 000010
【図９】
2006281539.tif 000011
【図１０】
2006281539.tif 000012
【図１１】
2006281539.tif 000013
【図１２】
2006281539.tif 000014